(57)【要約】【課題】タブ形式の画面において、目的とする処理を効率的に選択して実行させることができるようにする。【解決手段】表示制御装置において、制御部は、複数のタブのそれぞれに対応した複数のタブ画面５０，６０のうち選択状態にあるタブのタブ画面を表示部に表示させる。複数のタブ画面はそれぞれ共通領域４１及び個別領域４２を有する。制御部は、表示されているタブ画面の個別領域４２に対して特定アイコンの配置操作が行われた場合、その個別領域４２にのみ、配置操作に基づく特定アイコンを配置する。一方、制御部は、共通領域４１に対して特定アイコンの配置操作が行われた場合、複数のタブ画面のそれぞれの共通領域４１に対し、配置操作に基づく同じ特定アイコンを配置する。【選択図】図３
2019012387.tif 000002
【特許請求の範囲】
【請求項１】
表示部と、
入力部と、
制御部と、
を備えた表示制御装置であって、
前記制御部は、
前記表示部に、複数のタブ、及び前記複数のタブのそれぞれに対応した複数のタブ画面のうち選択状態にある１つの前記タブに対応したタブ画面、を表示させる表示処理、
を実行し、
前記複数のタブ画面はそれぞれ、アイコンが配置される２つの領域である共通領域及び個別領域を備え、
前記共通領域及び前記個別領域は、それぞれ、特定の処理が対応付けられた前記アイコンである特定アイコンが配置可能に構成されており、
前記制御部は、さらに、
前記表示部に表示されている前記タブ画面における前記共通領域及び前記個別領域のうちいずれか一方に対する、前記特定アイコンを配置させるための特定の配置操作を前記入力部を介して受け付ける配置受付処理と、
前記配置受付処理により前記配置操作が受け付けられた前記領域を配置対象領域とし、前記配置対象領域に対し、前記配置操作に従って決定される前記特定の処理が対応付けられた前記特定アイコンを配置する配置処理であって、前記配置対象領域が前記個別領域である場合、現在表示されている前記タブ画面の前記個別領域のみに前記特定アイコンを配置し、前記配置対象領域が前記共通領域である場合、前記複数のタブ画面のそれぞれの前記共通領域に対し、同じ前記特定アイコンを配置する、前記配置処理と、
を実行する表示制御装置。
【請求項２】
請求項１に記載の表示制御装置であって、
前記制御部は、さらに、
前記表示部に表示されている前記タブ画面における前記特定アイコンに対する、前記特定の処理の対応状態を変更させるための、当該特定アイコンに対する特定の変更操作を前記入力部を介して受け付ける変更受付処理と、
前記変更受付処理により前記変更操作が受け付けられた前記特定アイコンの前記対応状態を前記変更操作に応じて変更する変更処理であって、前記変更操作が受け付けられた前記特定アイコンが前記共通領域に配置されている場合、前記複数のタブ画面のそれぞれの前記共通領域に配置されている同じ前記特定アイコンに対し、同じ前記変更を行う、変更処理と、
を実行する表示制御装置。
【請求項３】
請求項１又は２に記載の表示制御装置であって、
前記共通領域には規定数の前記アイコンが配置されるように構成されており、
前記共通領域に配置されている前記特定アイコンの数が前記規定数よりも少ない場合は、前記共通領域における前記規定数の前記アイコンのうち前記特定アイコン以外の前記アイコンとして、前記特定の処理が対応付けられていない未使用アイコンが配置され、
前記共通領域に対する前記配置受付処理は、前記未使用アイコンに対する前記配置操作を受け付けるように構成されており、
前記共通領域に対する前記配置処理は、前記配置操作が受け付けられた前記未使用アイコンを前記特定アイコンに変更するように構成されている、
表示制御装置。
【請求項４】
請求項２に記載の表示制御装置であって、
前記共通領域には、規定数の前記アイコンが配置されるように構成されており、
前記共通領域に配置されている前記特定アイコンの数が前記規定数よりも少ない場合は、前記共通領域における前記規定数の前記アイコンのうち前記特定アイコン以外の前記アイコンとして、前記特定の処理が対応付けられていない未使用アイコンが配置され
前記共通領域に対する前記配置受付処理は、前記未使用アイコンに対する前記配置操作を受け付けるように構成されており、
前記共通領域に対する前記配置処理は、前記配置操作が受け付けられた前記未使用アイコンを前記特定アイコンに変更するように構成されており、
前記変更受付処理は、前記変更操作として、前記特定アイコンを前記タブ画面から削除させるための特定の削除操作を受け付け可能に構成されており、
前記変更処理は、前記変更受付処理によって前記共通領域内の前記特定アイコンに対する前記削除操作が受け付けられた場合、前記削除操作が行われた前記特定アイコンを前記未使用アイコンに変更するように構成されている、
表示制御装置。
【請求項５】
請求項１〜請求項４のいずれか１項に記載の表示制御装置であって、
前記制御部は、さらに、
前記個別領域に配置されている前記特定アイコンを個別特定アイコンとし、前記複数のタブ画面のそれぞれにおける前記個別特定アイコン毎に、前記個別特定アイコンに対応付けられた前記特定の処理が実行された頻度を算出する頻度算出処理と、
前記頻度算出処理により算出された前記頻度が特定の高頻度基準値以上である前記個別特定アイコンがある場合、その個別特定アイコンを、前記個別領域から削除し、前記複数のタブ画面のそれぞれの前記共通領域に配置する、共通化処理と、
を実行する表示制御装置。
【請求項６】
請求項１〜請求項５のいずれか１項に記載の表示制御装置であって、
前記制御部は、さらに、
前記共通領域に配置されている前記特定アイコンを共通特定アイコンとし、前記共通特定アイコン毎に、前記共通特定アイコンに対応付けられた前記特定の処理が実行された頻度を算出する頻度算出処理と、
前記頻度算出処理により算出された前記頻度が特定の低頻度基準値より低い前記共通特定アイコンがある場合、その共通特定アイコンを前記共通領域から削除する、共通配置解除処理と、
を実行する表示制御装置。
【請求項７】
請求項６に記載の表示制御装置であって、
前記制御部は、さらに、
前記頻度算出処理により算出された前記頻度が前記低頻度基準値より低い前記共通特定アイコンがある場合、その共通特定アイコンを、いずれかの前記タブ画面における前記個別領域に配置する、個別化処理、
を実行する表示制御装置。
【請求項８】
請求項１〜請求項７のいずれか１項に記載の表示制御装置であって、
前記制御部は、さらに、
特定ユーザの認証を行い、前記認証が成功した場合に、動作モードを特定ユーザモードに設定する認証処理、
を実行し、
前記配置受付処理では、前記共通領域に対する前記配置操作は、前記動作モードが前記特定ユーザモードである場合に受け付ける、
表示制御装置。
【請求項９】
表示部と、
入力部と、
制御部と、
を備えた表示制御装置で用いられる表示制御方法であって、
前記表示部に、複数のタブ、及び前記複数のタブのそれぞれに対応した複数のタブ画面のうち選択状態にある１つの前記タブに対応したタブ画面、を表示させる表示ステップ、
を有し、
前記複数のタブ画面はそれぞれ、アイコンが配置される２つの領域である共通領域及び個別領域を備え、
前記共通領域及び前記個別領域は、それぞれ、特定の処理が対応付けられた前記アイコンである特定アイコンが配置可能に構成されており、
さらに、
前記表示部に表示されている前記タブ画面における前記共通領域及び前記個別領域のうちいずれか一方に対する、前記特定アイコンを配置させるための特定の配置操作を前記入力部を介して受け付ける配置受付ステップと、
前記配置受付ステップにより前記配置操作が受け付けられた前記領域を配置対象領域とし、前記配置対象領域に対し、前記配置操作に従って決定される前記特定の処理が対応付けられた前記特定アイコンを配置する配置ステップであって、前記配置対象領域が前記個別領域である場合、現在表示されている前記タブ画面の前記個別領域のみに前記特定アイコンを配置し、前記配置対象領域が前記共通領域である場合、前記複数のタブ画面のそれぞれの前記共通領域に対し、同じ前記特定アイコンを配置する、前記配置ステップと、
を有する表示制御方法。
【請求項１０】
表示部と、
入力部と、
制御部と、
を備えた表示制御装置における前記制御部に実行させる表示制御プログラムであって、
前記制御部に、
前記表示部に、複数のタブ、及び前記複数のタブのそれぞれに対応した複数のタブ画面のうち選択状態にある１つの前記タブに対応したタブ画面、を表示させる表示処理、
を実行させ、
前記複数のタブ画面はそれぞれ、アイコンが配置される２つの領域である共通領域及び個別領域を備え、
前記共通領域及び前記個別領域は、それぞれ、特定の処理が対応付けられた前記アイコンである特定アイコンが配置可能に構成されており、
さらに、前記制御部に、
前記表示部に表示されている前記タブ画面における前記共通領域及び前記個別領域のうちいずれか一方に対する、前記特定アイコンを配置させるための特定の配置操作を前記入力部を介して受け付ける配置受付処理と、
前記配置受付処理により前記配置操作が受け付けられた前記領域を配置対象領域とし、前記配置対象領域に対し、前記配置操作に従って決定される前記特定の処理が対応付けられた前記特定アイコンを配置する配置処理であって、前記配置対象領域が前記個別領域である場合、現在表示されている前記タブ画面の前記個別領域のみに前記特定アイコンを配置し、前記配置対象領域が前記共通領域である場合、前記複数のタブ画面のそれぞれの前記共通領域に対し、同じ前記特定アイコンを配置する、前記配置処理と、
を実行させる表示制御プログラム。
【発明の詳細な説明】
【技術分野】
【０００１】
本発明は、表示部に表示される画面の内容を制御する技術に関する。
【背景技術】
【０００２】
特許文献１には、タッチパネルにタブ形式の待機画面を表示させ、タブを切り替えることによって処理実行用メニューの表示内容を切り替え可能な処理実行装置が記載されている。
【０００３】
特許文献１に記載の処理実行装置では、タブ毎に、特定の処理が登録されたボタンが複数配列される。ユーザは、ボタンに対する特定の処理の登録を任意に行うことができる。ユーザは、登録されているいずれかの処理を実行させたい場合、その処理のボタンが配列されているタブを選択してその処理のボタンを表示させ、そのボタンを操作することで、その処理を実行させることができる。
【先行技術文献】
【特許文献】
【０００４】
【特許文献１】特開２０１６−１５７２３２号公報
【発明の概要】
【発明が解決しようとする課題】
【０００５】
タブ形式の待機画面を備えた各種装置の使用形態としては、例えば、管理者が、各タブをそれぞれ個人もしくはグループに割り当て、タブ毎に適宜、特定の処理のボタンを配置させる、という使用形態が考えられる。
【０００６】
しかし、ボタンに登録可能な特定の処理として、特定の個人またはグループに限らず、複数の個人またはグループに共通して頻繁に使用される処理が存在することも考えられる。この場合、例えば、管理者がその処理を各タブに対して順次登録していけば、各タブのユーザがそれぞれその処理を実行できるようになるが、これを実現するためには管理者に多くの手間がかかる。
【０００７】
一方、特定のタブのボタンにのみ当該特定の処理を登録しておいて、ユーザはそのボタンを使用したい場合にはその都度その特定のタブに切り替える、という使用形態も考えられる。しかしそのような使用形態は、ユーザが当該ボタンを使用しようとする度にそのボタンが配置されているタブに切り替えなければならないため、ユーザにとって不便である。
【０００８】
本発明は上記課題に鑑みなされたものであり、タブ形式の画面において、目的とする処理を効率的に選択して実行させることができるようにすることを目的とする。
【課題を解決するための手段】
【０００９】
本発明の表示制御装置は、表示部と、入力部と、制御部とを備える。制御部は、表示処理を実行する。表示処理は、表示部に、複数のタブ、及びそれら複数のタブのそれぞれに対応した複数のタブ画面のうち選択状態にある１つのタブに対応したタブ画面、を表示させる処理である。前記複数のタブ画面はそれぞれ、アイコンが配置される２つの領域である共通領域及び個別領域を備える。共通領域及び個別領域は、それぞれ、特定の処理が対応付けられたアイコンである特定アイコンが配置可能に構成されている。
【００１０】
制御部は、さらに、配置受付処理と、配置処理とを実行する。配置受付処理は、表示部に表示されているタブ画面における共通領域及び個別領域のうちいずれか一方に対する、特定アイコンを配置させるための特定の配置操作を、入力部を介して受け付ける処理である。ここで、配置受付処理により配置操作が受け付けられた領域を配置対象領域とする。配置処理は、配置対象領域に対し、配置操作に従って決定される特定の処理が対応付けられた特定アイコンを配置する処理であって、配置対象領域が個別領域である場合、現在表示されているタブ画面の個別領域のみに特定アイコンを配置し、配置対象領域が共通領域である場合、複数のタブ画面のそれぞれの共通領域に対し、同じ特定アイコンを配置する処理である。
【００１１】
このような構成の表示制御装置では、ユーザは、表示部に表示されているタブ画面における、共通領域に対して、特定アイコンの配置操作を行うことで、現在表示されているタブ画面だけでなく、複数のタブ画面における共通領域のそれぞれに、特定のアイコンを配置させることができる。そのため、ユーザは、複数のタブ画面の中から、目的とする処理が対応付けられたアイコンを効率的に選択でき、その特定の処理を効率的に実行させることができる。
【図面の簡単な説明】
【００１２】
【図１】実施形態の画像処理装置の構成を示すブロック図である。
【図２】実施形態の画像処理装置の操作パネルを示す説明図である。
【図３】実施形態の待機画面を示す説明図である。
【図４】実施形態の待機編集画面を示す説明図である。
【図５】実施形態のメイン制御処理の一部のフローチャートである。
【図６】実施形態のメイン制御処理の他の一部（図５の続き）のフローチャートである。
【図７】実施形態のメイン制御処理のさらに他の一部（図５の続き）のフローチャートである。
【図８】実施形態の警告画面を示す説明図である。
【図９】実施形態の領域入替処理のフローチャートである。
【図１０】実施形態の選択入力画面を示す説明図である。
【発明を実施するための形態】
【００１３】
以下、本発明の実施形態について、図面を参照しながら説明する。
［１．実施形態］
（１−１）画像処理装置の構成
図１に示す本実施形態の画像処理装置１０は、原稿の画像を読み取ってその読み取った画像の画像データを生成するスキャン機能、記録用紙への画像の印刷を行う印刷機能、スキャン機能により読み取った画像を印刷機能により記録用紙に印刷するコピー機能、ファクシミリデータの送受信を行うファクス機能など、規定の複数の機能を備えている。
【００１４】
画像処理装置１０は、図１に示すように、制御部１１と、記憶部１２と、表示部１３と、入力部１４と、画像読取部１５と、印刷部１６と、メディアインタフェース部１７と、第１通信部１８と、第２通信部１９とを備え、これらがバス２０を介して相互に接続されている。なお、メディアインタフェース部のことを、以下「メディアＩ／Ｆ」と略称する。
【００１５】
制御部１１はＣＰＵを有する。記憶部１２は、例えばＲＯＭ、ＲＡＭ、ＮＶＲＡＭ、フラッシュメモリなどの半導体メモリを有する。即ち、画像処理装置１０は、ＣＰＵ及び半導体メモリを含むマイクロコンピュータを備えている。
【００１６】
制御部１１は、非遷移的実体的記録媒体に格納されたプログラムを実行することにより各種機能を実現する。本実施形態では、記憶部１２が、プログラムを格納した非遷移的実体的記録媒体に該当する。なお、制御部１１により実現される各種機能は、プログラムの実行によって実現することに限るものではなく、その一部又は全部について、一つあるいは複数のハードウェアを用いて実現してもよい。
【００１７】
記憶部１２には、後述する待機画面２５（図２参照）を含む、表示部１３に表示させる各種画面のデータが記憶されている。また、記憶部１２には、後述する図５〜図７のメイン制御処理のプログラム、及び後述する図９の領域入替処理のプログラムも記憶されている。上記各機能を実行するためのプログラムは、メイン制御処理のプログラムの一部として含まれていてもよいし、メイン制御処理のプログラムとは別のプログラムであってもよい。
【００１８】
表示部１３は、例えば液晶ディスプレイや有機ＥＬディスプレイなどの、画像を表示可能な表示デバイスを有する。
入力部１４は、各種入力操作を受け付けるための入力用デバイスを有する。入力部１４が有する入力用デバイスには、図２に示す電源ボタン５、テンキー６、戻りボタン７、ホームボタン８、停止ボタン９、及びタッチパネル１４ａが含まれる。タッチパネル１４ａは、表示部１３の表示デバイスにおける画像が表示される画像表示領域に配置される。
【００１９】
タッチパネル１４ａは、表示部１３の画像表示領域に対する、指示体による接触又は近接による指示操作を検出可能である。即ち、タッチパネル１４ａは、表示部１３の画像表示領域に対して指示体による指示操作が行われている場合に、その指示操作が行われている位置である指示位置を示す位置情報を出力可能に構成されている。本実施形態のタッチパネル１４ａは、指示体により指示操作が行われている間、位置情報を連続的又は周期的に出力するよう構成されている。
【００２０】
なお、タッチパネル１４ａは、指示操作として接触のみ検出可能な構成であってもよいし、近接のみ検出可能な構成であってもよいし、接触及び近接の両方を検出可能な構成であってもよい。
【００２１】
制御部１１は、タッチパネル１４ａから出力される位置情報を取得し、その取得した位置情報に基づいて、指示体の指示操作の有無、指示操作が行われている場合における指示位置、指示操作が行われている場合における指示体による少なくとも一種類の特定の操作を検出することができる。
【００２２】
制御部１１が検出可能な特定の操作としては、少なくとも、タップ操作がある。タップ操作は、指示体により指示操作が行われた後、同じ位置で指示体が離れる操作である。指示操作を行うことが可能な指示体の具体的態様は種々考えられ、例えば指先であってもよいし、スタイラスペンなどの特定の指示用デバイスであってもよい。
【００２３】
画像読取部１５は、イメージセンサを備え、原稿の画像を読み取り、読み取った画像の画像データを生成する。画像読取部１５は、ＡＤＦを備えていてもよい。なお、ＡＤＦとは、自動原稿送り装置を意味する、Ａｕｔｏｍａｔｉｃ  Ｄｏｃｕｍｅｎｔ  Ｆｅｅｄｅｒの略称である。また、画像読取部１５は、原稿台或いはＡＤＦにセットされた原稿に対し、その両面の画像を読み取るいわゆる両面スキャンを実行可能に構成されていてもよい。
【００２４】
印刷部１６は、インクジェット技術や電子写真技術の印刷機構を有し、シート状の記録用紙に画像を印刷することが可能である。なお、印刷部１６は、記録用紙の両面に画像を印刷するいわゆる両面印刷を実行可能に構成されていてもよい。
【００２５】
メディアＩ／Ｆ１７は、例えばＵＳＢフラッシュメモリなどの、各種の記憶メディアが装着されるインタフェース部であり、装着された記憶メディアに対するデータの書き込み及び読み出しを制御する。
【００２６】
第１通信部１８は、画像処理装置１０をデータ通信用のネットワークに接続するための通信インタフェースである。第１通信部１８は、例えば、有線ＬＡＮ、無線ＬＡＮ、インターネットなどの各種ネットワークの少なくとも１つに接続可能であってもよい。画像処理装置１０は、第１通信部１８を介して、パソコンやスマートフォン、タブレット端末などの各種情報処理装置と有線又は無線にてデータ通信可能であってもよい。また、画像処理装置１０は、第１通信部１８を介してインターネットに接続し、インターネットを介して他の各種サーバや各種情報処理装置などとデータ通信可能であってもよい。
【００２７】
第２通信部１９は、通信回線１５０を通じて外部機器と通信を行うためのインタフェース部である。第２通信部１９に接続される通信回線１５０は、本実施形態では例えば公衆電話網である。ファクス機能におけるファクシミリデータの送受信は、基本的には、第２通信部１９を介して行われる。
【００２８】
（１−２）操作パネルの構成
画像処理装置１０における、不図示の筐体の一側面には、図２に示す操作パネル３が設けられている。操作パネル３には、図２に示すように、電源ボタン５と、テンキー６と、戻りボタン７と、ホームボタン８と、停止ボタン９と、表示部１３と、タッチパネル１４ａとが設けられている。なお、図２に示されている表示部１３は、詳しくは、表示部１３が有する表示デバイスにおける画像表示領域を示している。この画像表示領域のほぼ全範囲にタッチパネル１４ａが重畳配置されている。
【００２９】
電源ボタン５は、画像処理装置１０の電源をオン、オフさせるためにユーザにより操作されるハードキーである。電源ボタン５の押下により画像処理装置１０に電源が投入されて画像処理装置１０の動作が開始されると、制御部１１は、特定の初期化処理を行った後、表示部１３に待機画面２５を表示させる。ユーザは、その待機画面２５を起点として各種入力操作を行うことで、表示部１３に表示させる画面を切り替えたり、各種設定を行ったり、各種機能を実行させたりすることができる。
【００３０】
テンキー６は、例えばファクシミリデータの送信先番号を入力するときやコピー機能におけるコピー部数を入力するときなど、主に数字を入力する際にユーザにより操作される、０〜９までの各数字のハードキーを含む複数のハードキーの総称である。
【００３１】
戻りボタン７は、表示部１３の画面を現在表示されている画面の直前に表示されていた画面に戻すためにユーザに操作されるハードキーである。ホームボタン８は、表示部１３に待機画面２５を表示させるためにユーザに操作されるハードキーである。停止ボタン９は、処理中の動作を停止させるためにユーザにより操作されるハードキーである。
【００３２】
（１−３）待機画面の説明
待機画面２５は、複数のタブを有するタブ形式の画面である。複数のタブにはそれぞれ個別にタブ画面が対応付けられている。待機画面２５には、複数のタブのうち選択状態にされている１つのタブに対応したタブ画面が表示される。待機画面２５を表示させるために必要な各種情報や、待機画面２５に対して入力部１４を介して各種入力操作が行われた場合に実行すべき処理の内容に関する情報などは、記憶部１２に記憶されている。
【００３３】
図２に示すように、待機画面２５には、最大４つのタブが表示される。なお、本実施形態では、タブの総数Ｎｔは、待機画面２５に同時に表示可能なタブの最大数である４よりも多い。図２は、待機画面２５に、第１タブ〜第ＮｔタブのＮｔ個のタブのうち、第１タブ３１、第２タブ３２、第３タブ３３及び第４タブ３４が表示されている例を示している。
【００３４】
各タブには、それぞれ、当該タブの名称が表示される。選択状態にされているタブは、他のタブとは異なる態様で表示される。他のタブとは異なる態様として、例えば、他のタブと異なる色にする、タブの大きさを他のタブよりも大きくする、タブに特定の装飾を加える、などが考えられる。図２は、タブ名が「基本機能１」の第１タブ３１が選択状態にされていて、第１タブ３１が他のタブとは異なる色で表示されている例を示している。
【００３５】
待機画面２５には、第１タブ〜第Ｎｔタブの全Ｎｔ個のタブそれぞれに対応した各タブ画面（第１タブ画面〜第Ｎｔタブ画面）のうち、選択状態にされている１つのタブに対応したタブ画面が表示される。図２は、選択状態にされている第１タブ３１に対応付けられている第１タブ画面５０が表示されている例を示している。
【００３６】
各タブに対応付けられている各タブ画面は、複数のアイコンが配置された画面である。本実施形態では、１つのタブ画面に８個のアイコンが配置される。即ち、図２に示すように、第１タブ画面５０には、第１アイコン５１〜第８アイコン５８が配置される。各アイコンの具体的種類は、後述するように、変更することができる。
【００３７】
図２に例示する第１タブ画面５０においては、第１アイコン５１はファクスアイコンであり、第２アイコン５２はコピーアイコンであり、第５アイコン５５は設定メニューアイコンである。第３アイコン５３、第４アイコン５４、第６アイコン５６〜第８アイコン５８は未登録アイコンである。
【００３８】
待機画面２５における、タブが表示される領域の両端近傍には、左ボタン２６及び右ボタン２７が表示される。Ｎｔ個のタブの左右方向の配列順は予め決められている。現在表示されている４つのタブよりも左側に他のタブが配列されている場合は、左ボタン２６をタップすることによって、表示対象のタブを右側にスクロールさせることで、現在表示されている４つのタブよりも左側に配列されているタブを表示させることができる。逆に、現在表示されている４つのタブよりも右側に他のタブが配列されている場合は、右ボタン２７をタップすることによって、表示対象のタブを左側にスクロールさせることで、現在表示されている４つのタブよりも右側に配列されているタブを表示させることができる。
【００３９】
現在選択状態にされているタブのタブ画面から、他のタブのタブ画面に切り替えたい場合は、切り替え先のタブをタップすればよい。現在選択状態のタブ以外のタブをタップすると、そのタップしたタブが選択状態にされて、待機画面２５には、その新たに選択状態にされたタブに対応したタブ画面が表示される。
【００４０】
例えば、図３の左側に示されているように、待機画面２５に、第１タブ３１に対応した第１タブ画面５０が表示されているとする。この状態から、例えば、タブ名が「基本機能２」の第２タブ３２をタップすると、図３の右側に示すように、選択状態のタブが第１タブ３１から第２タブ３２に切り替わり、その切り替わり後の第２タブ３２に対応した第２タブ画面６０が表示される。
【００４１】
第２タブ画面６０にも、第１アイコン６１〜第８アイコン６８の８個のアイコンが表示される。第２タブ画面６０において、第１アイコン６１は第１タブ画面５０の第１アイコン５１と同じファクスアイコンであり、第２アイコン６２は第１タブ画面５０の第２アイコン５２と同じコピーアイコンである。第３アイコン６３〜第８アイコン６８は未登録アイコンである。
【００４２】
各タブ画面に配置される各アイコンには、それぞれ、特定の処理が対応付けられている。ユーザによりいずれかのアイコンがタップされると、そのアイコンに対応付けられている特定の処理が実行される。
【００４３】
待機画面２５のタブ画面に配置可能なアイコンには、大きく分類すると、三種類のアイコンがある。具体的に、機能実行用アイコンと、設定用アイコンと、未登録アイコンがある。機能実行用アイコンは、当該画像処理装置１０が有する上記規定の複数の機能のうち何れかの機能を実行させるための、その実行対象の機能が登録されたアイコンである。つまり、機能実行用アイコンには、登録されている機能を実現させるための特定の処理が対応付けられている。そして、機能実行用アイコンがタップされると、対応付けられている特定の処理が実行されることによって、登録されている機能が実現される。
【００４４】
設定用アイコンは、各種設定項目を設定するための、その設定対象の特定の項目あるいは複数の項目のリスト等が登録されたアイコンである。つまり、設定用アイコンには、各種設定項目を設定させるための特定の処理が対応付けられている。そして、設定用アイコンがタップされると、対応付けられている特定の処理が実行されることによって、各種設定項目の設定が実現される。
【００４５】
未登録アイコンは、機能及び設定項目等が何ら登録されていないアイコンであり、ユーザによって任意の機能或いは設定項目を新規に登録することが可能なアイコンである。つまり、未登録アイコンには、任意の機能の機能実行用アイコン或いは任意の設定項目の設定用アイコンを新規に登録させるための、ユーザの入力操作を伴う特定の処理が対応付けられている。そして、未登録アイコンがタップされると、当該未登録アイコンに対応付けられている特定の処理が実行されることによって、機能実行用アイコン或いは設定用アイコンとしての新規登録が実現される。
【００４６】
機能実行用アイコンは、さらに、規定機能アイコンと、ショートカットアイコンとの二種類に分類される。規定機能アイコンは、当該画像処理装置１０が有するスキャン機能、印刷機能、コピー機能、ファクス機能、ウェブサービス機能、便利ツール機能などの規定の複数の機能のうち何れかを実行させるための、その実行対象の規定の機能が登録されたアイコンである。規定機能アイコンに登録されている各種設定値は、予め決められたデフォルト値である。ただし、そのデフォルト値は、規定機能アイコンをタップして対応機能を実行させる際にユーザが確認、変更することができる。
【００４７】
ショートカットアイコンには、上記規定の複数の機能のうちいずれかをユーザが予め設定した特定の実行条件で実行させるショートカット機能が登録される。
規定機能アイコン及び設定用アイコンの少なくとも一方は、画像処理装置１０の出荷時において、少なくとも１つのタブ画面において少なくとも１つ、予め配置されていてもよい。
【００４８】
ショートカットアイコンは、基本的には、当該画像処理装置１０の出荷時から予め配置されているアイコンではなく、未登録アイコンに対してユーザが任意に登録操作を行うことによって、その未登録アイコンに代わって配置されるアイコンである。ただし、ショートカットアイコンも、画像処理装置１０の出荷時において、少なくとも１つのタブ画面において少なくとも１つ、予め配置されていてもよい。
【００４９】
規定機能アイコンが、各設定値の初期値が予め決められているのに対し、ショートカットアイコンについては、ユーザ自ら、実行対象の機能、及びその機能をどのような設定条件で実行させるか、などについて任意に設定、登録することができる。
【００５０】
なお、未登録アイコンに対しては、任意のショートカット機能を登録してショートカットアイコンとして登録できるほか、任意の機能を登録することにより規定機能アイコンとして登録したり、任意の設定項目を登録することにより設定用アイコンとして登録したりすることもできる。
【００５１】
図２、及び図３の左側に示す、第１タブ画面５０において、第１アイコン５１として配置されているファクスアイコンは、ファクス機能を実行させるための規定機能アイコンである。第２アイコン５２として配置されているコピーアイコンは、コピー機能を実行させるための規定機能アイコンである。第５アイコン５５として配置されている設定メニューアイコンは、少なくとも一種類の設定項目の設定値を設定するための設定用アイコンである。
【００５２】
また、後述する図４（ｂ）に示す第１タブ画面５０及び第２タブ画面６０において、第３アイコン５３、６３として配置されている各スキャンアイコンは、スキャン機能を実行させるための規定機能アイコンである。なお、これら２つのスキャンアイコンは全く同じであり、同じ特定の処理が対応付けられている。
【００５３】
また、後述する図４（ｂ）の左側に示す第１タブ画面５０において、第８アイコン５８として配置されているアイコンは、スキャンｔｏファイルのショートカット機能が登録されたショートカットアイコンである。スキャンｔｏファイルは、スキャン機能の具体的態様の１つである。
【００５４】
ショートカット機能は、前述の通り、未登録アイコンに対してユーザが任意に登録することができる。ショートカット機能として登録可能な機能は、例えば、前述の規定の機能、即ちファクス機能、コピー機能、スキャン機能、ウェブサービス機能、便利ツール機能などである。
【００５５】
例えばコピー機能のショートカット機能を登録したい場合は、まず、何れかのタブのタブ画面に含まれている未登録アイコンをタップする。未登録アイコンをタップすると、登録可能な機能及び設定項目のリストが表示される。ユーザは、表示されているリストの中から、登録対象の機能又は設定項目を選択できる。
【００５６】
何れかの設定項目が選択された場合は、その設定項目に対応した設定用アイコンが新規に登録される。つまり、登録対象の未登録アイコンが、選択された設定項目に応じた特定の処理が対応付けられた設定用アイコンに変更される。以後、この設定用アイコンをタップすると、対応付けられている特定の処理が実行され、登録されている設定項目の設定値を確認したり変更したりすることができる。
【００５７】
一方、未登録アイコンがタップされた後、リストの中から何れかの機能が選択された場合は、さらに、その機能について、規定機能アイコンとして登録するか、それともショートカットアイコンとして登録するかをユーザに選択させるための選択画面が表示される。
【００５８】
規定機能アイコンとしての登録が選択された場合は、選択された機能に対応した規定機能アイコンが新規に登録される。つまり、登録対象の未登録アイコンが、選択された機能に応じた特定の処理が対応付けられた規定機能アイコンとして登録される。
【００５９】
本実施形態では、全く同じ特定の処理が対応付けられたアイコンを、１つのタブ画面内に複数配置させたり、異なる複数のタブ画面にそれぞれ配置させたりすることができる。出荷時からデフォルトで配置されている規定機能アイコン或いは設定用アイコンがある場合も、その出荷時からデフォルトで配置されているアイコンとは別に、そのアイコンと全く同じアイコンを配置させることができる。
【００６０】
一方、ショートカット機能の登録が選択された場合は、選択された機能を具体的にどのような実行条件で実行させるかをユーザに設定させるための設定画面が表示される。ユーザは、この設定画面を介して、選択した機能の具体的な実行条件、即ち選択した機能を実行させるために必要な各種設定項目の設定値を任意に設定することができる。そして、ユーザにより設定完了を示す操作が行われると、選択した機能を特定の実行条件で実行させることが可能なショートカットアイコンが生成される。つまり、登録対象の未登録アイコンが、実行条件に応じた特定の処理が対応付けられたショートカットアイコンとして登録される。以後、このショートカットアイコンをタップすることで、対応付けられている特定の処理が実行され、登録されている機能を、登録されている特定の実行条件に従って容易に実行させることができる。
【００６１】
（１−４）管理機能の説明
図２及び図３に示すように、待機画面２５には、管理者ボタン２８が表示される。管理者ボタン２８をタップすると、管理者認証用の認証画面が表示される。その認証画面に対し、パスワード入力などの認証用の所定の入力操作を行うと、認証処理が行われる。
【００６２】
認証処理は、特定の認証条件が成立したか否かを判断する処理である。認証条件の１つには、入力されたパスワードが予め登録されている正規のパスワードと一致すること、が含まれる。認証処理の結果、認証条件が成立した場合は、動作モードが管理者モードとなり、表示部１３に、図４（ａ）に示すような、待機編集画面７０が表示される。待機編集画面７０は、各タブの各タブ画面に配置される各アイコンに対して、新規登録、登録解除、登録内容の編集などを行うことが可能な画面である。
【００６３】
待機編集画面７０には、図４（ａ）に示すように、待機画面２５と同様、複数のタブと、選択状態にされているタブに対応したタブ画面とが表示される。待機編集画面７０に表示される複数のタブ及びタブ画面の内容は、待機画面２５と基本的に同じである。また、タブの選択状態を切り替えることによってタブ画面の内容を切り替えることができることについても、待機画面２５と同様である。
【００６４】
待機編集画面７０には、さらに、図４（ａ）に示すように、各タブの各タブ画面に含まれる各アイコンの一部又は全てを処理対象として各種の編集操作を行うための、編集操作の種類毎の個別のアイコン編集ボタンが表示される。具体的に、本実施形態では、アイコン編集ボタンとして、左移動ボタン８１、右移動ボタン８２、入れ替えボタン８３、削除ボタン８４、及び一括削除ボタン８５が表示される。
【００６５】
一括削除ボタン８５は、全てのタブに配置されている全てのアイコンに対する登録状態を解除して、全てのアイコンを未登録アイコンに切り替えるためのボタンである。削除ボタン８４は、選択されたアイコン（但し未登録アイコンを除く）に対する登録状態を解除して未登録アイコンに切り替えるためのボタンである。なお、以下の説明において、配置されているアイコンを「削除」するとは、当該アイコンに対する登録状態を解除して未登録アイコンにすることを意味する。
【００６６】
入れ替えボタン８３は、何れか２つのアイコンの位置を入れ替えるためのボタンである。右移動ボタン８２は、何れか１つのアイコンを、当該アイコンの右側に移動させるためのボタンである。左移動ボタン８１は、何れか１つのアイコンを、当該アイコンの左側に移動させるためのボタンである。
【００６７】
待機編集画面７０においてアイコンの新規登録、編集、削除、移動、入れ替えなどの各操作を行った後に待機画面２５に戻ると、待機画面２５には、待機編集画面７０で行った各操作の結果が反映される。
【００６８】
（１−５）タブ画面内に設定されている領域の説明
図２及び図３に示すように、各タブ画面には、共通領域４１及び個別領域４２が設定されている。そして、８つのアイコンのうち第１アイコン〜第４アイコンの４つのアイコンは共通領域４１内に配置され、第５アイコン〜第８アイコンの４つのアイコンは個別領域４２内に配置されている。
【００６９】
共通領域４１に配置される４つのアイコンは、各タブ画面全て同じである。つまり、タブを切り替えていずれのタブ画面を表示させても、共通領域４１に配置されるアイコンは全く同じである。
【００７０】
本実施形態では、いずれかのタブ画面が表示されている状態で、そのタブ画面内の共通領域４１において機能実行用アイコン又は設定用アイコンを新規登録すると、そのアイコンは、現在表示されているタブ画面に配置されるのに加えて、他の各タブ画面の共通領域４１における同じ位置に対してもそれぞれ配置される。
【００７１】
また、いずれかのタブ画面が表示されている状態で、そのタブ画面内の共通領域４１に配置されているいずれかのアイコンを削除すると、そのアイコンが現在表示されているタブ画面から削除されるのに加えて、他の各タブ画面の共通領域４１における同じ位置に配置されている同じ各アイコンもそれぞれ削除される。
【００７２】
また、いずれかのタブ画面が表示されている状態で、そのタブ画面内の共通領域４１に配置されているいずれかのアイコンに対する編集操作を行うと、そのアイコンに対する登録内容が編集操作に応じて変更されるのに加えて、他の各タブ画面の共通領域４１における同じ位置に配置されている同じ各アイコンに対する登録内容も全く同じように変更される。
【００７３】
つまり、タブ画面中の共通領域４１内のアイコンに対する登録、編集、移動、削除等の各操作内容は、現在表示されているタブ画面だけでなく他の全てのタブ画面における同じ位置のアイコンに対しても同様に反映される。その結果、各タブ画面における、共通領域４１内に配列されているアイコンは、全て同じ内容となる。
【００７４】
例えば、図４（ａ）の左側に示す待機編集画面７０が表示された状態、即ち第１タブ画面５０が表示されている状態で、共通領域４１内の未登録アイコンである第３アイコン５３を、スキャン機能が登録された規定機能アイコンにしたとする。この場合、図４（ｂ）に示すように、現在表示されている第１タブ画面５０内の第３アイコン５３が規定機能アイコンとなるのに加え、第２タブ画面６０を含む他の各タブ画面における共通領域４１内の同じ位置のアイコンも、同じ処理が対応付けられた規定機能アイコンとなる。
【００７５】
一方、いずれかのタブ画面が表示されている状態で、そのタブ画面内の個別領域４２においてアイコンの登録、削除、編集等の各種操操作を行った場合は、その操作内容は、現在表示されているタブ画面内の対象アイコンに対してのみ反映され、他のタブ画面には反映されない。
【００７６】
例えば、図４（ａ）の左側に示す待機編集画面７０が表示された状態、即ち第１タブ画面５０が表示されている状態で、個別領域４２内の未登録アイコンである第８アイコン５８に対してスキャンｔｏファイルのショートカットアイコンを新規登録したとする。この場合、図４（ｂ）に示すように、現在表示されている第１タブ画面５０内の第８アイコン５８はショートカットアイコンとして登録されるが、第２タブ画面６０を含む他の各タブ画面における個別領域４２内の同じ位置のアイコンにはその登録内容は反映されない。
【００７７】
動作モードが管理者モードである場合は、共通領域４１内のアイコン及び個別領域４２内のアイコンのいずれに対しても、新規登録、削除、移動、編集等の各操作が可能である。一方、動作モードが管理者モードではない一般モードである場合は、個別領域４２に対してはアイコンの新規登録、編集が可能であるが、共通領域４１に対してはアイコンの新規登録、編集はできない。また、動作モードが一般モードである場合、共通領域４１内のアイコンの削除、移動、入れ替えはできない。共通領域４１内のアイコンの削除、移動、入れ替えは、管理者モードで表示可能な待機編集画面７０（図４（ａ）参照）において実行可能である。また、動作モードが一般モードである場合、個別領域４２内のアイコンについては、ショートカットアイコンを削除することは可能であるが、ショートカットアイコン以外のアイコンの削除、アイコンの移動、及びアイコンの入れ替えはできない。個別領域４２内のショートカットアイコン以外のアイコンの削除、アイコンの移動及びアイコンの入れ替えは、管理者モードで実行可能である。
【００７８】
なお、管理者モード及び一般モードのそれぞれにおいて、アイコンの新規登録、編集、削除、移動、入れ替えなどを許可するか否かについては、領域４１，４２毎に適宜決めてよい。
【００７９】
（１−６）メイン制御処理の説明
次に、前述の各種機能を実現するために制御部１１が実行するメイン制御処理について、図５〜図７を用いて説明する。制御部１１は、電源ボタン５の押下により電源が投入されて起動すると、図５〜図７のメイン制御処理を実行する。
【００８０】
制御部１１は、図５〜図７のメイン制御処理を開始すると、Ｓ１１０（図５参照）で、表示部１３に待機画面２５を表示させる。なお、タブ画面の初期値、即ち、起動後最初に待機画面２５に表示させるタブ画面、機能実行終了後に表示される待機画面２５中のタブ画面、ホームボタン８の押下時に表示される待機画面２５中のタブ画面は、適宜決めてよく、本実施形態では例えば第１タブ画面５０である。
【００８１】
Ｓ１２０では、待機画面２５中の管理者ボタン２８がタップされたか否か判断する。管理者ボタン２８がタップされていない場合は、Ｓ１３０で、待機画面２５に表示されている複数のタブのいずれかがタップされたか否か判断する。何れかのタブがタップされた場合は、Ｓ１４０で、タブ切替処理を実行する。具体的に、タップされたタブを選択状態にして、そのタブに対応付けられたタブ画面を表示させる。Ｓ１４０でタブ画面を切り替えた後は、Ｓ１１０に戻る。
【００８２】
Ｓ１３０で、いずれのタブもタップされていない場合は、Ｓ１５０に進む。Ｓ１５０では、登録済みのアイコン、即ち未登録アイコン以外のアイコンがタップされたか否か判断する。Ｓ１５０で、登録済みのアイコンがタップされた場合は、Ｓ１６０に進む。Ｓ１６０では、タップされたアイコンに対応付けられている特定の処理を実行する。これにより、当該アイコンに登録されている機能或いは各種設定が実現される。
【００８３】
Ｓ１７０では、使用頻度を更新する。ここでいう使用頻度とは、各タブ画面に配置されている各アイコン毎の、そのアイコンがタップされて対応する処理がＳ１６０で実行された頻度を示す情報である。使用頻度の具体的内容は適宜決めてよい。本実施形態では、例えば、アイコンがタップされる度にそのタップされた日時を示す情報を記憶し、アイコンがタップされる度に、一定時間前から現在までの間に当該アイコンがタップされた回数を使用頻度として更新する。Ｓ１７０で使用頻度を更新した後は、Ｓ１１０に戻る。
【００８４】
Ｓ１５０で、登録済みのアイコンがタップされていない場合は、Ｓ１８０（図６参照）に進む。Ｓ１８０では、未登録アイコンに対する新規のアイコン登録の指示がなされたか否か判断する。新規のアイコン登録の指示には、例えば、未登録アイコンに対するタップ操作が含まれる。Ｓ１８０で、未登録アイコンに対する新規のアイコン登録の指示がなされた場合は、Ｓ１９０に進む。
【００８５】
Ｓ１９０では、登録指示が行われた未登録アイコンが共通領域４１及び個別領域４２のどちらに配置されているか判断する。共通領域４１内の未登録アイコンに対して登録指示が行われた場合は、Ｓ２００で、エラー処理を実行して、Ｓ１１０に戻る。Ｓ２００のエラー処理は、共通領域４１内へのアイコンの新規登録は現在の動作モード（即ち一般モード）ではできないことをユーザに認識させるための処理であり、例えば、図８に示す警告画面１１０を表示部１３に表示させてもよい。その場合、警告画面１１０に表示されるＯＫボタン１１１がタップ操作された場合にＳ１１０に戻るようにしてもよい。
【００８６】
Ｓ１９０で、個別領域４２内の未登録アイコンに対して登録指示が行われた場合は、Ｓ２１０に進む。Ｓ２１０では、ユーザによる入力操作を介して登録情報を取得する。登録情報とは、新規登録対象の機能あるいは設定項目等の具体的内容を示す情報である。Ｓ２２０では、Ｓ２１０で取得した登録情報に基づいてアイコンを新規登録する。これにより、登録指示が行われた未登録アイコンが、Ｓ２１０で取得した登録情報に基づく特定の処理が対応付けられたアイコンに切り替わる。Ｓ２２０でアイコンを新規登録した後は、Ｓ１１０に戻る。
【００８７】
Ｓ１８０で、未登録アイコンに対する新規のアイコン登録の指示がなされていない場合は、Ｓ２３０に進む。Ｓ２３０では、登録済みのアイコンに対する編集指示がなされたか否か判断する。編集指示には、例えば、編集対象のアイコンを長押しする操作が含まれる。長押しとは、タッチパネル１４ａを介して操作対象を一定時間以上継続して指示操作した後に指示操作を解除することである。
【００８８】
Ｓ２３０で、登録済みアイコンに対する編集指示がなされていない場合は、Ｓ１１０に戻る。Ｓ２３０で、登録済みアイコンに対する編集指示がなされた場合は、Ｓ２４０に進む。
【００８９】
Ｓ２４０では、編集指示が行われたアイコンが共通領域４１及び個別領域４２のどちらに配置されているか判断する。共通領域４１内のアイコンに対して編集指示が行われた場合は、Ｓ２５０で、エラー処理を実行して、Ｓ１１０に戻る。Ｓ２５０のエラー処理は、共通領域４１内のアイコンの編集は現在の動作モード（即ち一般モード）ではできないことをユーザに認識させるための処理であり、例えば特定の警告を表示部１３に表示させてもよい。
【００９０】
Ｓ２４０で、個別領域４２内のアイコンに対して編集指示が行われた場合は、Ｓ２６０に進む。Ｓ２６０では、ユーザによる入力操作を介して編集情報を取得する。編集情報とは、対象のアイコンに登録されている登録情報の変更内容を示す情報である。Ｓ２７０では、Ｓ２６０で取得した編集情報に基づいてアイコンの登録情報を変更する。Ｓ２７０でアイコンの登録情報を変更した後は、Ｓ１１０に戻る。
【００９１】
図５に戻り、Ｓ１２０で、管理者ボタン２８がタップされた場合は、Ｓ２８０で前述の認証処理を行う。そして、パスワード一致等の認証条件が成立して認証が成功した場合は、Ｓ２９０でログイン処理を行う。つまり、動作モードを管理者モードに設定する。そして、Ｓ３００で、表示部１３に待機編集画面７０を表示させる。Ｓ３００で待機編集画面を表示させた後は、Ｓ３１０（図７参照）に進む。
【００９２】
Ｓ３１０では、未登録アイコンに対する新規のアイコン登録の指示がなされたか否か判断する。未登録アイコンに対する新規のアイコン登録の指示がなされていない場合は、Ｓ３６０に進む。未登録アイコンに対する新規のアイコン登録の指示がなされた場合は、Ｓ３２０に進む。Ｓ３２０では、ユーザによる入力操作を介して登録情報を取得する。
【００９３】
Ｓ３３０では、登録指示が行われた未登録アイコンが共通領域４１及び個別領域４２のどちらに配置されているか判断する。共通領域４１内の未登録アイコンに対して登録指示が行われた場合は、Ｓ３４０に進む。Ｓ３４０では、現在表示されているタブ画面において直接登録指示がなされた未登録アイコンを含む、全てのタブ画面における当該未登録アイコンと同じ位置にある各未登録アイコンに対して、Ｓ３２０で取得した登録情報に基づくアイコンを新規登録する。これにより、全てのタブ画面における同じ位置に、同じアイコンが新規登録されて配置される。Ｓ３４０の新規登録後は、Ｓ３６０に進む。
【００９４】
Ｓ３３０で、個別領域４２内の未登録アイコンに対して登録指示が行われた場合は、Ｓ３５０に進む。Ｓ３５０では、現在表示されているタブ画面において直接登録指示がなされた未登録アイコンに対してのみ、Ｓ３２０で取得した登録情報に基づくアイコンを新規登録する。Ｓ３５０の新規登録後は、Ｓ３６０に進む。
【００９５】
Ｓ３６０では、登録済みのアイコンに対する編集指示がなされたか否か判断する。登録済みアイコンに対する編集指示がなされていない場合は、Ｓ４１０に進む。登録済みアイコンに対する編集指示がなされた場合は、Ｓ３７０に進む。Ｓ３７０では、ユーザによる入力操作を介して編集情報を取得する。
【００９６】
Ｓ３８０では、編集指示が行われたアイコンが共通領域４１及び個別領域４２のどちらに配置されているか判断する。共通領域４１内のアイコンに対して編集指示が行われた場合は、Ｓ３９０に進む。Ｓ３９０では、現在表示されているタブ画面において直接編集指示がなされたアイコンを含む、全てのタブ画面における当該アイコンと同じ位置にある同じ各アイコンに対して、Ｓ３７０で取得した編集情報に基づいて登録情報を登録する。これにより、全てのタブ画面における、同じ位置に配置されている同じアイコンに対する登録情報が一律に登録される。Ｓ３９０の編集処理後は、Ｓ４１０に進む。
【００９７】
Ｓ３８０で、個別領域４２内のアイコンに対して編集指示が行われた場合は、Ｓ４００に進む。Ｓ４００では、現在表示されているタブ画面において直接編集指示がなされたアイコンに対してのみ、Ｓ３７０で取得した編集情報に基づいて登録情報を登録する。Ｓ４００の編集処理後は、Ｓ４１０に進む。
【００９８】
Ｓ４１０では、登録済みアイコンに対して削除指示がなされたか否か判断する。Ｓ４１０における削除指示とは、登録済みアイコンをタップ操作することによりそのアイコンを削除対象として選択した後、削除ボタン８４をタップ操作することである。
【００９９】
Ｓ４１０で、登録済みアイコンに対する削除指示がなされていない場合は、Ｓ４５０に進む。登録済みアイコンに対する削除指示がなされた場合は、Ｓ４２０に進む。Ｓ４２０では、削除指示がなされたアイコンが共通領域４１及び個別領域４２のどちらに配置されているか判断する。
【０１００】
削除指示がなされたアイコンが共通領域４１に配置されている場合は、Ｓ４３０に進む。Ｓ４３０では、現在表示されているタブ画面において直接削除指示がなされたアイコンを含む、全てのタブ画面における当該アイコンと同じ位置にある同じ各アイコンを、削除する。これにより、全てのタブ画面における、同じ位置に配置されている同じアイコンに対する登録が一律に解除されて、これらアイコンが全て未登録アイコンとして登録される。Ｓ４３０の処理後はＳ４５０に進む。
【０１０１】
Ｓ４２０で、削除指示がなされたアイコンが個別領域４２に配置されている場合は、Ｓ４４０に進む。Ｓ４４０では、現在表示されているタブ画面において直接削除指示がなされたアイコンのみ削除する。これにより、削除対象のアイコンの登録が解除されて未登録アイコンとして登録される。Ｓ４４０の処理後はＳ４５０に進む。
【０１０２】
Ｓ４５０では、ユーザによる特定のログアウト操作が行われたか否か判断する。ログアウト操作とは、動作モードを管理者モードから一般モードに戻すための操作である。ログアウト操作が行われていない場合は、Ｓ３１０に戻る。ログアウト操作が行われた場合は、Ｓ１１０に戻る。
【０１０３】
（１−７）領域入替処理の説明
次に、制御部１１が実行する領域入替処理について、図９を用いて説明する。制御部１１は、電源ボタン５の押下により電源が投入されて起動すると、図９の領域入替処理を周期的に繰り返し実行する。
【０１０４】
制御部１１は、図９の領域入替処理を開始すると、Ｓ６１０で、各タブ画面の個別領域４２内に配置されているアイコン毎に、使用頻度をチェックする。使用頻度は、前述の通り、Ｓ１７０（図５参照）で更新される情報である。
【０１０５】
Ｓ６２０では、各タブ画面の個別領域４２内に配置されているアイコンの中に、高使用頻度アイコンがあるか否か判断する。高使用頻度とは、使用頻度が高いことを示し、具体的には、本実施形態では使用頻度が特定の高頻度基準値以上であることである。個別領域４２内に高使用頻度アイコンがない場合は、Ｓ６６０に進む。個別領域４２内に高使用頻度アイコンがある場合は、Ｓ６３０に進む。
【０１０６】
Ｓ６３０では、個別領域４２内に高使用頻度アイコンがあるタブ画面において、共通領域４１内に空きがあるか否か判断する。空きがあるとは、未登録アイコンがあることを意味する。Ｓ６３０で、共通領域４１内に空きがない場合は、Ｓ６６０に進む。Ｓ６３０で、空きがある場合は、Ｓ６４０に進む。
【０１０７】
Ｓ６４０では、ユーザによる、高使用頻度アイコンを共通領域４１へ移動させる移動指示がなされたか否か判断する。具体的に、Ｓ６４０では、図１０に示す選択入力画面１２０を表示部１３に表示させる。選択入力画面１２０には、高頻度アイコンの名称、その高頻度アイコンが配置されているタブ画面のタブ名、及び共通領域へ移動するかどうかを問いかけるメッセージが表示される。さらに、選択入力画面１２０には、Ｙｅｓボタン１２１とＮｏボタン１２２とが表示される。
【０１０８】
Ｓ６４０で、移動指示がなされなかった場合、即ち選択入力画面１２０においてＮｏボタン１２２がタップ操作された場合は、Ｓ６６０に進む。Ｓ６４０で、移動指示がなされた場合、即ち選択入力画面１２０においてＹｅｓボタン１２１がタップ操作された場合は、Ｓ６５０に進む。
【０１０９】
Ｓ６５０では、高使用頻度アイコンを共通領域４１へ移動させる。即ち、共通領域４１内の未登録アイコンを、移動元の高使用頻度アイコンとする。また、個別領域４２内に配置されていた元の高使用頻度アイコンは、個別領域４２から削除する。これにより、ある１つのタブ画面の個別領域４２内に配置されていた高使用頻度アイコンが、各タブ画面それぞれの共通領域４１に表示されるようになる。
【０１１０】
Ｓ６６０では、共通領域４１内に配置されているアイコン毎に、使用頻度をチェックする。Ｓ６７０では、共通領域４１内に配置されているアイコンの中に、低使用頻度アイコンがあるか否か判断する。低使用頻度とは、使用頻度が低いことを示し、具体的には、本実施形態では使用頻度が特定の低頻度基準値より低いことである。共通領域４１内に低使用頻度アイコンがない場合は、本領域入替処理を終了する。共通領域４１内に低使用頻度アイコンがある場合は、Ｓ６８０に進む。
【０１１１】
Ｓ６８０では、ユーザによる、低使用頻度アイコンをいずれかのタブ画面の個別領域４２へ移動させる移動指示がなされたか否か判断する。Ｓ６８０で、移動指示がなされなかった場合は、本領域入替処理を終了する。Ｓ６８０で、移動指示がなされた場合は、Ｓ６９０に進む。
【０１１２】
Ｓ６９０では、ユーザにより移動先として指示されたタブ画面において、個別領域４２内に空きがあるか否か判断する。空きがない場合は、Ｓ７１０で、特定のエラー処理を行って、Ｓ６８０に戻る。空きがある場合は、Ｓ７００に進む。Ｓ７００では、低使用頻度アイコンを、ユーザにより指示されたタブ画面における個別領域４２へ移動させる。即ち、ユーザにより指示されたタブ画面における個別領域４２内の未登録アイコンを、移動元の低使用頻度アイコンとする。また、共通領域４１内に配置されていた元の低使用頻度アイコンは、共通領域４１から削除する。これにより、今まで全てのタブ画面の共通領域４１に表示されていた低使用頻度アイコンが、特定の１つのタブ画面における個別領域４２にのみに表示されるようになる。
【０１１３】
（１−８）実施形態の効果
以上説明した実施形態によれば、以下の（１ａ）〜（１ｄ）の効果を奏する。
（１ａ）タブ形式の待機画面２５において、各タブに対応した各タブ画面５０，６０は、それぞれ、共通領域４１と個別領域４２とを有する。表示されているタブ画面の個別領域４２に対してアイコンの新規登録を行うと、その表示されているタブ画面の個別領域４２にのみアイコンが新規登録されて配置される。一方、表示されているタブ画面の共通領域４１に対してアイコンの新規登録を行うと、表示されているタブ画面を含む全てのタブ画面の共通領域４１に対して同じアイコンが新規登録される。
【０１１４】
そのため、ユーザは、表示されているタブ画面における共通領域４１に対して、アイコンの新規登録を行うことで、現在表示されているタブ画面だけでなく、複数のタブ画面における共通領域のそれぞれに、そのアイコンを配置させることができる。そのため、ユーザは、複数のタブ画面の中から、目的とする処理が対応付けられたアイコンを効率的に選択でき、その特定の処理を効率的に実行させることができる。
【０１１５】
（１ｂ）共通領域４１に配置されている登録アイコンに対して、当該アイコンの削除、又は当該アイコンに登録されている登録情報の編集が行われた場合も、その削除又は編集は、現在表示されているタブ画面だけでなく他の各タブ画面における共通領域４１内の同じ登録アイコンに対しても反映される。
【０１１６】
そのため、ユーザは、各タブ画面の共通領域４１に配置されている任意のアイコンを一括して削除又は編集することができる。
（１ｃ）タブ画面へのアイコンの新規登録は、未登録アイコンをタップすることによって容易に行うことができる。即ち、ユーザは、表示部１３に表示されているタブ画面の共通領域４１内に未登録アイコンが配置されている場合、その未登録アイコンに対して所望の機能或いは設定項目を登録して登録アイコンとすることができる。しかもその登録内容は、他の各タブ画面の共通領域４１における同じ位置に配置されている未登録アイコンに対しても反映される。
【０１１７】
また、何れかのタブ画面が表示されている状態で、共通領域４１内の任意の登録アイコンを削除すると、全てのタブ画面における共通領域４１内の同じ位置に配置されている登録アイコンが、未登録アイコンとなる。よって、その未登録アイコンに対して新たに別の機能を登録することができる。つまり、共通領域４１に対する、アイコンの新規登録及び削除を容易且つ効率的に行うことができる。
【０１１８】
（１ｄ）共通領域４１に配置されている登録アイコンの中に、使用頻度が低いアイコンがある場合は、そのアイコンをいずれかのタブ画面の個別領域４２へ容易に移動させることができる。
【０１１９】
また、個別領域４２に配置されている登録アイコンの中に、使用頻度が高いアイコンがある場合は、そのアイコンを共通領域４１へ容易に移動させることができる。
よって、アイコン毎に、共通領域４１又は個別領域４２のうち使用頻度に応じた適切な領域へ容易且つ効率的に移動させることができる。
【０１２０】
なお、未登録アイコンは本発明の未使用アイコンに相当する。未登録アイコン以外の、機能又は設定項目が登録された各登録アイコンは、いずれも、本発明の特定アイコンに相当する。共通領域４１に配置されるアイコンの数である「４」は本発明の規定数に相当する。管理者モードは本発明の特定ユーザモードに相当する。アイコンに対する機能又は設定項目の登録の有無及び登録内容は、本発明の対応状態に相当する。
【０１２１】
また、Ｓ１１０は本発明の表示処理に相当する。Ｓ１８０，Ｓ２１０，Ｓ３１０及びＳ３２０は本発明の配置受付処理に相当する。Ｓ２２０，Ｓ３４０及びＳ３５０は本発明の配置処理に相当する。Ｓ２３０，Ｓ２６０，Ｓ３６０，Ｓ３７０及びＳ４１０は本発明の変更受付処理に相当する。Ｓ２７０，Ｓ３９０，Ｓ４００及びＳ４３０は本発明の変更処理に相当する。Ｓ１７０は本発明の頻度算出処理に相当する。Ｓ６５０は本発明の共通化処理に相当する。Ｓ７００は本発明の共通配置解除処理及び個別化処理に相当する。
【０１２２】
［２．他の実施形態］
以上、本発明の実施形態について説明したが、本発明は上述の実施形態に限定されることなく、種々変形して実施することができる。
【０１２３】
（２−１）上記実施形態では、共通領域４１に配置されるアイコンの数は４つであったが、共通領域４１に配置されるアイコンの数は４つ以外であってもよい。個別領域４２に配置されるアイコンの数についても、４つ以外であってもよい。
【０１２４】
（２−２）タブ画面全体においてどの共通領域４１及び個別領域４２をそれぞれどの位置、どの範囲に設けるかについては、適宜決めてよい。上記実施形態では、タブ画面における上半分の領域が共通領域４１、下半分の領域が個別領域４２であったが、例えば、これら両領域の位置が上記実施形態とは逆であってもよい。また例えば、上下方向ではなく左右方向に各領域４１，４２を分けるようにしてもよい。
【０１２５】
また、共通領域４１及び個別領域４２のそれぞれ、当該領域内にアイコンをどのように配置するか、また各アイコンをどのような形状にするか、などについては適宜決めてよい。
【０１２６】
（２−３）Ｎｔ個の全てのタブに対応した全てのタブ画面が共通領域４１及び個別領域４２を有していなくてもよく、Ｎｔ個のタブ画面の中に、共通領域４１を有しないタブ画面が存在していてもよい。逆に、個別領域４２を有しないタブ画面が存在していてもよい。
【０１２７】
（２−４）一般モードであっても、共通領域４１内及び個別領域４２内のそれぞれにおけるアイコンの移動、入れ替え、削除、共通領域４１と個別領域４２との間のアイコンの移動、入れ替えなどの操作が可能であってもよい。また、上記実施形態では、個別領域４２については、一般モードであってもアイコンの新規登録、編集が可能であったが、個別領域４２であっても一般モードではアイコンの新規追加、編集ができないようにしてもよい。逆に、一般モードであっても、共通領域４１及び個別領域４２のいずれにおいてもアイコンの新規登録、編集ができるようにしてもよい。
【０１２８】
（２−５）共通領域４１と個別領域４２を視覚的に区別できるようにする方法は適宜決めてよい。例えば、各領域４１、４２の背景の色或いは模様を区別してもよい。また例えば、各領域４１、４２に配置される各アイコンの色、模様、形状などを区別してもよい。また例えば、各領域４１、４２の境界に境界線を表示させてもよい。
【０１２９】
（２−６）上記実施形態における１つの構成要素が有する複数の機能を、複数の構成要素によって実現したり、１つの構成要素が有する１つの機能を、複数の構成要素によって実現したりしてもよい。また、複数の構成要素が有する複数の機能を、１つの構成要素によって実現したり、複数の構成要素によって実現される１つの機能を、１つの構成要素によって実現したりしてもよい。また、上記実施形態の構成の一部を省略してもよい。また、上記実施形態の構成の少なくとも一部を、他の上記実施形態の構成に対して付加又は置換してもよい。
【符号の説明】
【０１３０】
３…操作パネル、１０…画像処理装置、１１…制御部、１２…記憶部、１３…表示部、
１４…入力部、１４ａ…タッチパネル、２５…待機画面、２８…管理者ボタン、３１…第１タブ、３２…第２タブ、３３…第３タブ、３４…第４タブ、４１…共通領域、４２…個別領域、５０…第１タブ画面、５１〜５８，６１〜６８…アイコン、６０…第２タブ画面、７０…待機編集画面、８４…削除ボタン、１１０…警告画面、１２０…選択入力画面。
【図１】
2019012387.tif 000003
【図２】
2019012387.tif 000004
【図３】
2019012387.tif 000005
【図４】
2019012387.tif 000006
【図５】
2019012387.tif 000007
【図６】
2019012387.tif 000008
【図７】
2019012387.tif 000009
【図８】
2019012387.tif 000010
【図９】
2019012387.tif 000011
【図１０】
2019012387.tif 000012